(57)【要約】【課題】  湯水の流量と温度とがレバーの操作で調節される混合水栓において、湯水の吐水時における振動音の発生を抑制する。【解決手段】  給水孔２０，給湯孔２１を備えた固定板１８と、この固定板１８側に開口した混合室２７が内部に形成された可動板１９とからなる弁機構４がケース３の内部に内装され、前記可動板１９にはスライダー３０が嵌合され、スライダー３０の他端にはケース３の内部に収容されるスライダーガイド３３内でピン３５を支点に回転するアーム３２が係合され、このアーム３２の他端に止めビス４０を介して連繋したレバー７の操作により、スライダーガイド３３がケース３の内部を摺動すると共に、可動板１９が固定板１８上で摺動されて混合水の吐水量と温度とが調節される混合水栓Ａにおいて、前記スライダー３０とアーム３２との係合部に緩衝部材２８を設けた。【選択図】  図１
2005351285.tif 000002
【特許請求の範囲】
【請求項１】
給水孔，給湯孔を備えた固定板と、この固定板側に開口した混合室が内部に形成された可動板とからなる弁機構がケースの内部に内装され、前記可動板にはスライダーが嵌合され、スライダーの他端にはケースの内部に収容されるスライダーガイド内でピンを支点に回転するアームが係合され、このアームの他端に止めビスを介して連繋したレバーの操作により、スライダーガイドがケースの内部を摺動すると共に、可動板が固定板上で摺動されて混合水の吐水量と温度とが調節される混合水栓において、前記スライダーとアームとの係合部に緩衝部材を設けたことを特徴とする混合水栓。
【請求項２】
給水孔，給湯孔を備えた固定板と、この固定板側に開口した混合室が内部に形成された可動板とからなる弁機構がケースの内部に内装され、前記可動板にはスライダーが嵌合され、スライダーの他端にはケースの内部に収容されるスライダーガイド内でピンを支点に回転するアームが係合され、このアームの他端に止めビスを介して連繋したレバーの操作により、スライダーガイドがケースの内部を摺動すると共に、可動板が固定板上で摺動されて混合水の吐水量と温度とが調節される混合水栓において、前記止めビスの外周に振動を吸収する皮膜層が形成されたことを特徴とする混合水栓。
【請求項３】
給水孔，給湯孔を備えた固定板と、この固定板側に開口した混合室が内部に形成された可動板とからなる弁機構がケースの内部に内装され、前記可動板にはスライダーが嵌合され、スライダーの他端にはケースの内部に収容されるスライダーガイド内でピンを支点に回転するアームが係合され、このアームの他端に止めビスを介して連繋したレバーの操作により、スライダーガイドがケースの内部を摺動すると共に、可動板が固定板上で摺動されて混合水の吐水量と温度とが調節される混合水栓において、前記スライダーとアームとの係合部に緩衝部材を設け、かつ、前記止めビスの外周に振動を吸収する皮膜層が形成されたことを特徴とする混合水栓。
【発明の詳細な説明】
【技術分野】
【０００１】
この発明は、湯水の流量と温度とをレバーの操作で調節するシングルレバー式の混合水栓に関する。
【背景技術】
【０００２】
一般にシングルレバー式の混合水栓においては、水栓本体には混合水栓の外部に配置された給水管，給湯管とそれぞれ連通する給水通路，給湯通路と、湯水の外部への吐水のための吐水通路とが形成されている。水栓本体の上部には略円筒形状のケースが装着され、ケースの内部には給水孔，給湯孔，吐水孔が穿設された固定板と、混合室が形成された可動板とからなる弁機構が互いに上下に重ね合わせた状態で収容されている。そして、給水通路，給湯通路は、ケースに穿設された水孔，湯孔を介して固定板に穿設された給水孔，給湯孔とそれぞれ連通し、可動板と連繋したレバーの操作により可動板を固定板に対して相対移動させることにより、給水通路から供給される水と給湯通路から供給される湯との流量及び温度が調節され、その調節された湯水が吐水通路を介して外部へ吐出されるようになっている。
【０００３】
この種の混合水栓は、特許文献１のように、可動板の上方には円盤型のスライダーが水密的に嵌合され、このスライダーの上部には軸心より前後方向に偏心させた位置に上面を開口した軸受部が形成され、この軸受部にはアームが係合されている。このアームはピンが挿通される挿孔を支点に揺動自在であり、上部先端に止めビスを介してレバーが結合されている。このレバーの左右回動方向及び上下方向の操作によって、前記スライダーの軸受部に係合したアームを支点として可動板が固定板上を直線方向又は回転方向に摺動することで、吐水管から吐水される湯水の温度及び流量が調節される。
【０００４】
【特許文献１】特開平１０−１９１４４号公報
【発明の開示】
【発明が解決しようとする課題】
【０００５】
しかしながら、この混合水栓ではレバーを吐水位置へ操作した場合、固定板の給水孔，給湯孔，吐水孔と可動板の混合室との位置関係により、流路の絞りによる流路面積の急激な変化や流動摩擦等によって、弁機構には微細な振動が発生する。この振動は、可動弁からスライダー，アーム，止めビス等を介してレバーに伝わり、振動音となって外部へ放散され、耳障りな異音として感じられることがある。この振動音の対策は講じられておらず、早急に改善されることが望まれている。
【０００６】
この発明は、このような従来の技術に存在する問題点に着目してなされたものであり、その課題は、湯水の流量と温度とがレバーの操作で調節される混合水栓において、湯水の吐水時における振動音の発生を抑制することである。
【課題を解決するための手段】
【０００７】
上記目的を達成するため、請求項１に記載の発明は、給水孔，給湯孔を備えた固定板と、この固定板側に開口した混合室が内部に形成された可動板とからなる弁機構がケースの内部に内装され、前記可動板にはスライダーが嵌合され、スライダーの他端にはケースの内部に収容されるスライダーガイド内でピンを支点に回転するアームが係合され、このアームの他端に止めビスを介して連繋したレバーの操作により、スライダーガイドがケースの内部を摺動すると共に、可動板が固定板上で摺動されて混合水の吐水量と温度とが調節される混合水栓において、前記スライダーとアームとの係合部に緩衝部材を設けたものである。
【０００８】
請求項２では、給水孔，給湯孔を備えた固定板と、この固定板側に開口した混合室が内部に形成された可動板とからなる弁機構がケースの内部に内装され、前記可動板にはスライダーが嵌合され、スライダーの他端にはケースの内部に収容されるスライダーガイド内でピンを支点に回転するアームが係合され、このアームの他端に止めビスを介して連繋したレバーの操作により、スライダーガイドがケースの内部を摺動すると共に、可動板が固定板上で摺動されて混合水の吐水量と温度とが調節される混合水栓において、前記止めビスの外周に振動を吸収する皮膜層が形成されたものである。
【０００９】
請求項３では、給水孔，給湯孔を備えた固定板と、この固定板側に開口した混合室が内部に形成された可動板とからなる弁機構がケースの内部に内装され、前記可動板にはスライダーが嵌合され、スライダーの他端にはケースの内部に収容されるスライダーガイド内でピンを支点に回転するアームが係合され、このアームの他端に止めビスを介して連繋したレバーの操作により、スライダーガイドがケースの内部を摺動すると共に、可動板が固定板上で摺動されて混合水の吐水量と温度とが調節される混合水栓において、前記スライダーとアームとの係合部に緩衝部材を設け、かつ、前記止めビスの外周に振動を吸収する皮膜層が形成されたものである。
【発明の効果】
【００１０】
請求項１の混合水栓では、スライダーとアームの係合部に緩衝部材を設けたので、吐水操作によって弁機構で発生した微細な振動は緩衝部材により吸収されてレバーに伝達されることがなく、振動音の発生を効果的に抑制することができる。
【００１１】
請求項２の混合水栓では、止めビスの外周に振動を吸収する皮膜層が形成されているので、吐水操作によって弁機構で発生した微細な振動は皮膜層により吸収されてレバーに伝達されることがなく、振動音の発生を効果的に抑制することができる。
【００１２】
請求項３の混合水栓では、スライダーとアームの係合部に緩衝部材を設け、かつ、止めビスの外周に振動を吸収する皮膜層が形成されているので、吐水操作によって弁機構で発生した微細な振動は緩衝部材と皮膜層とにより吸収されてレバーに伝達されることがなく、振動音の発生を一層効果的に抑制することができる。
【発明を実施するための最良の形態】
【００１３】
以下、本発明の実施例を図に基づいて詳細に説明する。
【実施例１】
【００１４】
図１に示すように、洗面台や流し台等のカウンター１に取り付けられる混合水栓Ａはシングルレバー式であり、略円筒状の水栓本体２と、この水栓本体２の上部に配置され、湯水の流量と温度とを調節するための弁機構４が収容されるケース３と、水栓本体２の外周面に外嵌され、弁機構４で調節された湯水が吐水される吐水管５と、前記ケース３を水栓本体２の上部に固定するための固定ナット６と、弁機構４と連繋し吐水管５から吐水される湯水の流量及び温度を調節するためのレバー７とを備えている。
【００１５】
前記水栓本体２は略円筒状に形成され、下部底面には螺子軸８が固定されている。そして、混合水栓Ａをカウンター１に穿設された取付孔１ａの上部に配置した状態で、取付孔１ａに上部から貫通した螺子軸８に対し、カウンター１の下部から座金９を挿通し、固定部材１０を螺子軸８に螺着することで、水栓本体２と座金９とによりカウンター１を挟着し、混合水栓Ａはカウンター１に取り付けられるものである。また、図２に示すように水栓本体２の上面には前記ケース３が装着される支持部１１が形成され、この支持部１１には円形で同一外径の給水通路１２，給湯通路１３が隣接して穿設され、さらに両通路１２，１３より大径の円形で吐水管５と連通する吐出通路１４が穿設されている。そして、水栓本体２の上部外周面には雄ねじ１５が形成されており、この雄ねじ１５には前記固定ナット６の内周面に形成された雌ねじ６ａが螺合され、ケース３は水栓本体２の支持部１１に固定されるものである。
【００１６】
図３に示すように、前記ケース３は合成樹脂で形成された下ケース１６と上ケース１７とからなり、ケース３の内部には弁機構４が収容され、下ケース１６と上ケース１７とは弁機構４が収容された状態で上下に着脱自在に結合される。弁機構４は、略円盤状でセラミック製の固定板１８と、この固定板１８と同一材質からなる可動板１９とを上下に水密的に重ね合わせて構成される。
【００１７】
図４及び図５に示すように、固定板１８は両面に貫通する略円弧状の給水孔２０，給湯孔２１，及び略扇形状の吐出孔２２が穿設され、給水孔２０は下ケース１６の水孔２３に、給湯孔２１は湯孔２４に、吐出孔２２は混合孔２５にそれぞれ連通するように対応させている。
【００１８】
前記可動板１９は固定板１８と比較してひと回り外径が小さく、底面側の摺接面２６を固定板１８の上面に重ね合わせて摺動させることで、前記給水孔２０又は給湯孔２１のどちらか一方、或いは両方と連通して、水，湯を前記吐出孔２２へ供給する混合室２７が両面に貫通して形成されている。前記可動板１９の混合室２７には上方からパッキン２９を介して円盤型のスライダー３０が水密的に嵌合され、このスライダー３０の上部には軸心より前後方向に偏心させた位置に上面を開口した軸受部３１が形成され、この軸受部３１内周にはゴム等の弾性材料からなる緩衝部材２８が装着されている。緩衝部材２８は上面が開口した中空状の直方体形状で、上面の開口からアーム３２が係合されている。
【００１９】
図３及び図４に示すように、前記上ケース１７の内部には、アーム３２を支持しスライダー３０の上面を摺動するスライダーガイド３３が収容されている。スライダーガイド３３は前記スライダー３０に上方から嵌合させて、中央に開口した挿通孔３４内でピン３５を支点にアーム３２を揺動自在に挟着し、このアーム３２はピン３５を挿通する挿孔３６から下部をくの字形に折曲した折曲部３７の先端の突部３８が前記軸受部３１に係合している。このとき、アーム３２の突部３８の外周面とスライダー３０の軸受部３１内周に装着された緩衝部材２８の内周面とが常に接触している。
【００２０】
そして、アーム３２の上部先端に止めビス４０を介して結合されたレバー７の左右回動方向及び上下方向の操作によって、前記スライダー３０の軸受部３１に係合した突部３８を支点として可動板１９が固定板１８上を直線方向又は回転方向に摺動することで、吐水管５から吐水される湯水の温度及び流量が調節される。このスライダー３０を介して可動板１９は前後に移動し、湯水の温度を調節するアーム３２の回転運動時にはスライダー３０はアーム３２と共に回転し、スライダー３０を介して可動板１９は回転する。スライダーガイド３３は環状に形成されたフランジ部３３ａにリング状のスリップワッシャ３９が組み込まれるものであり、このスリップワッシャ３９はスライダーガイド３３のフランジ部３３ａと、上ケース１７の内部に形成された天井面１７ａとの間に挟まれ、スライダーガイド３３は上ケース１７と上下に接触することなく回転可能である。
【００２１】
本発明の混合水栓Ａにおいて、図１の状態からレバー７を上方向に操作したときには、アーム３２を介して可動板１９が直線的に水平移動される。この水平移動により、固定板１８の給水孔２０及び給湯孔２１に対する可動板１９の混合室２７の開口面積が変更されて、湯水の吐出流量が調整されるようになっている。したがって固定板１８と可動板１９とにより流体としての水及び湯の流量が制御される。また、レバー７を正面から横方向へ回動操作したときには、アーム３２を介して可動板１９が水平方向へ回動される。この水平方向への回動により、固定板１８の給水孔２０及び給湯孔２１に対する混合室２７の開口面積が変更されて、水と湯との混合比が調節される。
【００２２】
実施例１の混合水栓Ａでは、レバー７の吐水操作によって弁機構４で発生した微細な振動は、弁機構４の上方に嵌合されたスライダー３０に伝達する。しかし、振動はスライダー３０の軸受部３１に装着された緩衝部材２８によって吸収されてアーム３２やレバー７に伝達されることがなく、振動音の発生を効果的に抑制することができる。
【実施例２】
【００２３】
次に、実施例２を図６に基づいて説明する。なお、実施例２の混合水栓Ａにおいて、実施例１と同一の構造については同一符号を用い、詳細な説明を省略する。
この実施例においては、緩衝部材２８ａはゴム等の弾性部材からなり、アーム３２の突部３８よりひと回り大きく、上面が開口した中空状の略箱型形状で、アーム３２の突部３８の外周に装着されている。したがって、アーム３２の突部３８がスライダー３０の軸受部３１に係合された状態では、軸受部３１の内周面と緩衝部材２８ａの外周面とが常に接触している。
【００２４】
実施例２の混合水栓Ａでは、レバー７の吐水操作によって弁機構４で発生した微細な振動は、弁機構４の上方に嵌合されたスライダー３０に伝達する。しかし、振動はアーム３２の突部３８に装着された緩衝部材２８ａによって吸収されてアーム３２やレバー７に伝達されることがなく、振動音の発生を効果的に抑制することができる。
【実施例３】
【００２５】
次に、実施例３を図７に基づいて説明する。なお、実施例３の混合水栓Ａにおいて、実施例１と同一の構造については同一符号を用い、詳細な説明を省略する。
この実施例においては、アーム３２とレバー７とを結合している止めビス４０に表面に振動の伝達を抑制するための皮膜層４１が形成されている。この皮膜層４１は、ナイロン樹脂を止めビス４０のネジ部４０ａに融着加工したものである。
【００２６】
実施例３の混合水栓Ａでは、レバー７の吐水操作によって弁機構４で発生した微細な振動は、弁機構４の上方に嵌合されたスライダー３０を介してアーム３２に伝達する。しかし、振動は止めビス４０の表面に形成された皮膜層４１によって吸収されてレバー７に伝達されることがなく、振動音の発生を効果的に抑制することができる。
【実施例４】
【００２７】
次に、実施例４を図８に基づいて説明する。なお、実施例４の混合水栓Ａにおいて、実施例１乃至実施例３と同一の構造については同一符号を用い、詳細な説明を省略する。
この実施例においては、スライダー３０とアーム３２との係合部に緩衝部材２８を設け、かつ、アーム３２とレバー７とを結合している止めビス４０に表面に皮膜層４１が形成されている。
【００２８】
実施例４の混合水栓Ａでは、レバー７の吐水操作によって弁機構４で発生した微細な振動は、弁機構４の上方に嵌合されたスライダー３０に伝達する。しかし、振動はスライダー３０とアーム３２との係合部に設けられた緩衝部材２８と、止めビス４０の表面に形成された皮膜層４１とによってそれぞれ吸収されてレバー７に伝達されることがなく、振動音の発生を一層効果的に抑制することができる。なお、本実施例の緩衝部材は実施例１のものを用いたが、実施例２のものを用いても良いことは言うまでもない。
【図面の簡単な説明】
【００２９】
【図１】本発明の混合水栓をカウンターに取り付けた状態の縦断面図である。
【図２】混合水栓の支持部を表す斜視図である。
【図３】弁機構が収容されたケースの縦断面図である。
【図４】弁機構の分解斜視図である。
【図５】固定板と可動板との斜視図である。
【図６】実施例２の説明図で、弁機構が収容されたケースの縦断面図である。
【図７】実施例３の説明図で、混合水栓の要部拡大断面図である。
【図８】実施例４の説明図で、混合水栓の要部拡大断面図である。
【符号の説明】
【００３０】
４    ：弁機構
１８  ：固定板
１９  ：可動板
２０  ：給水孔
２１  ：給湯孔
２２  ：吐出孔
２７  ：混合室
２８  ：緩衝部材
３０  ：スライダー
３１  ：軸受部
３２  ：アーム
３７  ：折曲部
３８  ：突部
４０  ：止めビス
４１  ：皮膜層
Ａ    ：混合水栓
【図１】
2005351285.tif 000003
【図２】
2005351285.tif 000004
【図３】
2005351285.tif 000005
【図４】
2005351285.tif 000006
【図５】
2005351285.tif 000007
【図６】
2005351285.tif 000008
【図７】
2005351285.tif 000009
【図８】
2005351285.tif 000010